(57)【要約】【課題】異物の噛み込み防止と弁の基本的な性能とを両立させる制御弁及びオイル制御装置を提供する。【解決手段】ハウジング２に穿孔されてオイルが供給される被供給ポート６及びオイルを給排する複数の給排ポートと、ハウジング２に挿入されてスライドすることによりオイルの給排量を制御するスプール１２と、スプール１２をスライドさせるプランジャ３５と、開口部の大きさを、ハウジング２とスプール１２が形成する通路３の幅の１／２以上とし、被供給ポート６と複数の給排ポートのうち、少なくともいずれか一方のポートに取り付けたフィルタ部材とを備えたものである。【選択図】図２
2008039141.tif 000002
【特許請求の範囲】
【請求項１】
内部軸方向に、オイル用の通路を形成する複数の仕切り壁を有する略筒形のハウジングと、オイル流量を規制する複数のランド部を形成し前記ハウジングに挿入されてその軸方向にスライド可能なスプールを有し、前記ハウジングの仕切り壁及び前記スプールのランド部の角部とをそれぞれエッジに形成し、前記ハウジングの周壁に設けられてオイルを給排する複数の給排ポートと、前記スプールをハウジングの軸方向の一方に付勢する弾性部材と、電磁力により前記スプールをハウジングの軸方向の他方にスライドさせるプランジャと、フィルタ部材のオイル流通部における平均粗さ（平均的な開口部大きさ）を前記ハウジングと前記スプールとが形成するオイル用通路の幅の１／２以上とし、前記被供給ポートと前記複数の給排ポートのうち、少なくともいずれか一方のポートに取り付けたフィルタ部材とを備えた制御弁。
【請求項２】
被供給ポートと複数の給排ポートのうち、少なくともいずれか一方のポートを、ハウジングの周壁周方向に１８０°以下の一部開口形状に形成した請求項１記載の制御弁。
【請求項３】
フィルタ部材を、被供給ポートと複数の給排ポートのうち、少なくともいずれか一方のポートの開口形状に対応する形状に形成した請求項１または請求項２記載の制御弁。
【請求項４】
フィルタ部材を、断面略円弧形に形成される屈曲可能な枠体と、この枠体の内部に取り付けられるメッシュと、枠体に突出形成され、少なくともいずれか一方のポートの周縁部に形成された係止穴に係止する係止爪とから形成し、前記フィルタ部材の円弧の半径をハウジングの周壁の半径よりも大きくした請求項１から請求項３のうちのいずれか１項記載の制御弁。
【請求項５】
フィルタ部材のメッシュにおける開口部の大きさを、ハウジングとスプールとが形成するオイル用通路の幅以上とした請求項１から請求項４のうちのいずれか１項記載の制御弁。
【請求項６】
フィルタ部材を金属材料を使用して多孔質に形成し、このフィルタ部材の内部を粗く形成するとともに、この内部以外の外部を密に形成するようにした請求項１から請求項５のうちのいずれか１項記載の制御弁。
【請求項７】
ハウジングの内部座ぐりをフィルタ部材の抜け止めに使用するようにした請求項６記載の制御弁。
【請求項８】
自動車のオイルポンプから油圧アクチュエータに供給されるオイルを制御する制御弁と、前記制御弁のハウジングの周壁に設けられてオイルポンプからオイルがエンジンのオイル供給通路を介して供給される被供給ポートと、前記ハウジングの周壁に設けられて油圧アクチュエータにオイルを通路を介して給排する複数の給排ポートと、前記エンジンのオイル供給通路と前記制御弁の被供給ポートのいずれか一方に取り付けた第一のフィルタ部材と、前記通路と前記制御弁の複数の給排ポートのいずれか一方に取り付け、前記第一のフィルタ部材よりも開口部を大きく形成した第二のフィルタ部材とを備えたオイル制御装置。
【発明の詳細な説明】
【技術分野】
【０００１】
本発明は、四輪自動車等に設置されてそのオイルの流量を制御する制御弁及びオイル制御装置に関するものである。
【背景技術】
【０００２】
四輪自動車のエンジンには、様々な構成部品が使用されるが、その一つとして、オイルポンプからオイル流路を経由してきたオイルを油圧アクチュエータに供給する制御弁があげられる。
【０００３】
この種の制御弁は、図示しないハウジングに穿孔されてオイルポンプからオイルが供給される被供給ポートと、ハウジングに穿孔されて油圧アクチュエータに対してオイルを給排する複数の給排ポートと、ハウジングに挿入されてその軸方向にスライドすることによりオイルの給排量を制御するスプールと、このスプールをハウジングの軸方向の一方に弾圧付勢するコイルバネと、電磁力によりスプールをハウジングの軸方向の他方にスライドさせるプランジャとを備えて構成されている。ハウジングの各ポートには、オイル中の異物を除去するフィルタが装着され、このフィルタの異物除去により、制御弁の動作不良が防止される（特許文献１参照）。
【０００４】
なお、オイル流路は、エンジンの構成部品内に切削加工によりそれぞれ形成されている。このオイル流路の切削加工に伴う切削屑は、構成部品の洗浄により除去されるのが一般的である。
【０００５】
【特許文献１】特開２００３−２２２２６５号公報
【発明の開示】
【発明が解決しようとする課題】
【０００６】
従来における制御弁は、以上のようにハウジングの各ポートにフィルタが装着されるが、フィルタが単に装着されるに止まり、異物やフィルタの開口部に関して詳細な定めがない場合には、性能の低下を招くこととなる。例えば、ハウジングとスプールとの間のクリアランス部に異物が噛み込まれるのを防止するため、フィルタの開口部を小さくすると、異物の除去には資するものの、圧損等により制御弁の基本的性能の劣化を招くおそれが少なくないという課題があった。
【０００７】
本発明は上記の課題を解決するためになされたもので、異物の噛み込み防止と弁の基本的な性能との両立を図ることのできる制御弁及びオイル制御装置を提供することを目的としている。
【課題を解決するための手段】
【０００８】
本発明に係る制御弁は、内部軸方向に、オイル用の通路を形成する複数の仕切り壁を有する略筒形のハウジングと、オイル流量を規制する複数のランド部を形成し前記ハウジングに挿入されてその軸方向にスライド可能なスプールを有し、前記ハウジングの仕切り壁及び前記スプールのランド部の角部とをそれぞれエッジに形成し、前記ハウジングの周壁に設けられてオイルを給排する複数の給排ポートと、前記スプールをハウジングの軸方向の一方に付勢する弾性部材と、電磁力により前記スプールをハウジングの軸方向の他方にスライドさせるプランジャと、フィルタ部材のオイル流通部における平均粗さ（平均的な開口部大きさ）を前記ハウジングと前記スプールとが形成するオイル用通路の幅の１／２以上とし、前記被供給ポートと前記複数の給排ポートのうち、少なくともいずれか一方のポートに取り付けたフィルタ部材とを備えたものである。
【０００９】
本発明に係るオイル制御装置は、自動車のオイルポンプから油圧アクチュエータに供給されるオイルを制御する制御弁と、前記制御弁のハウジングの周壁に設けられてオイルポンプからオイルがエンジンのオイル供給通路を介して供給される被供給ポートと、前記ハウジングの周壁に設けられて油圧アクチュエータにオイルを通路を介して給排する複数の給排ポートと、前記エンジンのオイル供給通路と前記制御弁の被供給ポートのいずれか一方に取り付けた第一のフィルタ部材と、前記通路と前記制御弁の複数の給排ポートのいずれか一方に取り付け、前記第一のフィルタ部材よりも開口部を大きく形成した第二のフィルタ部材とを備えたものである。
【発明の効果】
【００１０】
本発明によれば、被供給ポートと給排ポートのうち、少なくともいずれかのポートに、開口部の大きさをハウジングとスプールとが形成するオイル用通路の幅１／２以上に構成したので、異物の噛み込み防止と弁の基本的な性能とを両立させることができるという効果がある。特に、各仕切り壁の角部と各ランド部の角部とをそれぞれエッジに形成したので、これらの掻き出し効果により、ハウジングとスプールとの間のクリアランス部よりも少々大きな異物の噛み込みを有効に防止することができる。
【００１１】
また、本発明によれば、エンジンのオイル供給通路と制御弁の被供給ポートのいずれか一方に第一のフィルタ部材を取り付け、通路と制御弁の複数の給排ポートのいずれか一方に第二のフィルタ部材を取り付け、第一のフィルタ部材よりも第二のフィルタ部材の開口部を大きく形成したので、オイルポンプ側から供給されるオイル中の異物で被供給ポート側の第一のフィルタ部材を通過した異物がハウジング内に滞留したり、堆積するのを防ぐことができる。したがって、異物の混入による制御弁の動作不良を有効に防止することができる。
【発明を実施するための最良の形態】
【００１２】
実施の形態１．
以下、本発明の実施の形態１を図を参照して説明する。図１から図７に示すように、制御弁１は、ハウジング２とソレノイド駆動部２０とを一体構造に備え、ハウジング２には、被供給ポート６、進角側出力ポート７、遅角側出力ポート８、進角側ドレンポート９、遅角側ドレンポート１０、複数の端部ドレンポート１１、スプール１２、及びコイルバネ１５が配設され、ソレノイド駆動部２０には、電磁力によりスプール１２をスライドさせる可動子のプランジャ３５が組み込まれており、四輪自動車のエンジンにＶＶＴ（Ｖａｒｉａｂｌｅ  Ｖａｌｖｅ  Ｔｉｍｉｎｇ  ｃｏｎｔｒｏｌ）システムの一部として設置されてオイルポンプから油圧アクチュエータに供給されるオイルの流量を制御するようにしている。
【００１３】
ハウジング２は、図１や図２に示すように左右方向に伸びる有底円筒形に形成され、開口部側が拡径に形成されており、この開口部側にソレノイド駆動部２０が装着される。このハウジング２の内部軸方向には、オイル用の通路３を形成する複数の仕切り壁４が間隔をおいて区画形成され、各仕切り壁４の角部が異物噛み込み防止の観点から切断用のエッジに形成される。ハウジング２の内周には、前記スプールと所定のクリアランスを有して摺動支持し、仕切り壁４とエッジを形成する溝５が複数形成される。
【００１４】
被供給ポート６は、図２に示すように、ハウジング２の周壁に穿孔されてオイルポンプからオイルが供給される。この被供給ポート６は、ハウジング２の周壁周方向に１８０°以下の円弧角で一部が開口した略小判形（略トラック形でもある）に穿孔される（図３参照）。このように被供給ポート６は、ハウジング２の周壁に、１８０°以上の角度ではなく、１８０°以下の円弧角で略小判形に穿孔されるので、薄肉部分を軽減してハウジング２の強度を確保することができ、しかもフィルタ部材の追加による圧損防止の効果を増大することができる。
【００１５】
進角側出力ポート７、遅角側出力ポート８、進角側ドレンポート９、及び遅角側ドレンポート１０は、被供給ポート６同様、ハウジング２の周壁周方向に１８０°以下の円弧角で一部が開口した略小判形（略トラック形でもある）に穿孔され、薄肉部分を軽減してハウジング２の強度を確保するよう機能する。
【００１６】
進角側出力ポート７は、ハウジング２の周壁に穿孔されて被供給ポート６の反対側に位置し、ＶＶＴシステムの油圧アクチュエータの進角側油圧室に対してオイルを供給するよう機能する。また、遅角側出力ポート８は、ハウジング２の周壁に穿孔されて被供給ポート６の反対側に位置するとともに、進角側出力ポート７に隣接し、油圧アクチュエータの遅角側油圧室に対してオイルを供給する。
【００１７】
進角側ドレンポート９は、ハウジング２の周壁に穿孔されて被供給ポート６側に隣接し、進角側油圧室からのオイルを排出する。また、遅角側ドレンポート１０は、ハウジング２の周壁に穿孔されて被供給ポート６側に隣接し、遅角側油圧室からのオイルを排出する。また、複数の端部ドレンポート１１は、ハウジング２の周壁に穿孔されて底部側と開口部側とにそれぞれ位置し、スプール１２の両端部側に発生する漏出油による圧力やスプール１２の移動時のエア圧を大気に開放する。
【００１８】
スプール１２は、図２に示すように、基本的には円柱形に形成されてその軸方向には径の異なる複数のランド部１３と凹部１４とを交互に並べ備え、ハウジング２にスライド可能に挿入されてその内部との間でオイル用の通路３を形成するとともに、ハウジング２の軸方向に所定量スライドすることにより、油圧アクチュエータに対するオイルの供給油量と排出油量とを調整するよう機能する。
【００１９】
スプール１２の各ランド部１３は、凹部１４よりも拡径に形成され、角部が仕切り壁４の角部と同様に異物噛み込み防止の観点から切断用のエッジに形成されており、ハウジング２の仕切り壁４に僅かなクリアランスを介して対向し、オイルの流量を調整する。
【００２０】
コイルバネ１５は、ハウジング２の内底部に座面形成用のワッシャ１６を介して嵌入支持され、ハウジング２の内底部とスプール１２の末端部との間に介在しており、スプール１２をハウジング２の軸方向の一方である開口部側、換言すれば、ソレノイド駆動部２０の通電オフ側に常時弾圧付勢するよう機能する。
【００２１】
ソレノイド駆動部２０は、図１や図２に示すように、ハウジング２の開口部側に装着される有底円筒形のケース２１を備え、このケース２１の周壁外周面には、屈曲したブラケット２２が溶接等の方法により固定されており、このブラケット２２が制御弁１の設置時にエンジンのシリンダヘッドにボルト等の締結具を介して取り付けられる。このソレノイド駆動部２０は、ケース２１の周壁内周面の開口側に段差部２３が形成され、ケース２１の内部には、コイル体２４、コア３０、ボス３４がそれぞれ内蔵される。
【００２２】
コイル体２４は、ケース２１の底部から外方向に突出する通電用のコネクタ部２５と、ケース２１の周壁内周面に僅かな隙間を介して対向するコイル外装部２６とを備えて樹脂モールド成形により一体化され、円筒形のボビン２７、コイル２８、ターミナル２９がインサート成形される。また、コア３０は、ボビン２７内に嵌合される有底円筒部３１と、この有底円筒部３１の周壁から外方向に張り出す鍔部３２とを備えてボビン２７とコネクタ部２５との間に介在する。このコア３０には、プランジャ３５用の軸受３３が圧入して嵌合される。
【００２３】
ボス３４は、中空の断面略ハット形に形成されてケース２１の開口側に位置し、対向するハウジング２の開口部側に積層するとともに、ケース２１の段差部２３に嵌合する。このボス３４には、コア３０の軸受３３と対向するプランジャ３５用の軸受３３が圧入して嵌合される。
【００２４】
プランジャ３５は、本体である筒部３６と、この筒部３６の端部に略テーパ形状に形成されてボス３４に対向する磁気吸引部３７とを備えてシャフト３８に嵌通され、コア３０の内部に所定の隙間を介して収容されており、通電に基づく電磁力によりスプール１２をハウジング２の軸方向の他方、換言すれば、ハウジング２の底部方向にスライドさせ、かつコイルバネ１５を圧縮するよう機能する。シャフト３８は、非磁性材料を使用して形成され、コア３０とボス３４の軸受３３にスライド可能に貫通支持されており、対向するスプール１２の先端部に当接する。
【００２５】
図３から図７に示すように、進角側出力ポート７と遅角側出力ポート８の形状に対応して、オイル中の異物を除去する可撓性のフィルタ４０がそれぞれ外側から着脱自在に被覆され、各フィルタ４０の異物除去作用により制御弁１の動作不良が抑制防止される。
【００２６】
各フィルタ４０は、所定の合成樹脂を使用して断面略円弧形に湾曲形成され、中空の平面略小判形に成形される屈曲可能な枠体４１と、複数のＳＵＳ線等の縦横の組み合わせにより形成され、枠体４１の内部に張架されてオイルを流通させるメッシュ４２と、枠体４１の裏面両端部にそれぞれ突出形成され、進角側出力ポート７又は遅角側出力ポート８の周縁部に切り欠かれた複数の係止穴１７にそれぞれ嵌合係止する係止爪４３とを備えて形成される。
【００２７】
フィルタ４０は、ハウジング２の周壁に未だ装着されないフリーの場合には、円弧の半径Ｒ１がハウジング２の周壁の半径Ｒ２よりも拡径になるよう、すなわちＲ１＞Ｒ２の関係になるよう湾曲形成される。
【００２８】
フィルタ４０のメッシュ４２における開口部の平均粗さ、換言すれば、開口部の大きさβは、ハウジング２の仕切り壁４とスプール１２のランド部１３とが形成するオイル用の通路３の幅αの１／２以上になるよう、すなわちβ≧１／２αの関係になるよう形成され、好ましくは通路３の幅α以上になるよう形成される（図１、図２参照）。また、通路３の幅αは、例えば制御弁１がバルブタイミング調整用電磁弁の場合には、オイルの必要流量等を考慮し、０．７〜１ｍｍ程度に設定される。
【００２９】
以下、図８に基づき、オイル用の通路３の幅α、及びメッシュ４２における開口部の大きさβ等について説明する。図８は、制御弁１がバルブタイミング調整用電磁弁として実際に使用された場合の印加電流に対するオイルの流量を示すグラフであり、ここでは四輪自動車での常用域として油圧２００ｋＰａ時の特性を示している。
【００３０】
同図に示すように、制御弁１のオイルは、最小・最大電流の時に最大流量（図８のＡ、Ｂ点）となり、中間電流の時に最小流量（図８のＣ点）となるような略Ｕ字の特性を示す。また、電流１００ｍＡの時遅角側流量となり、電流１０００ｍＡの時進角側流量となる（通常、遅角側がフェールセーフ側となり、アイドル時等バルブタイミング変更不要の場合には、電流１００ｍＡに設定される）。
【００３１】
また、実際の油圧アクチュエータの制御に際しては、電流のフィードバック制御、すなわち実際の油圧アクチュエータの位相をモニターしながら目標の位相に近づくように制御弁１の流量を調整すべく、電流を制御する方法が採用される。また、種々のエンジン状態（エンジンの回転数や油温等）において、使用される流量域は、図に示す流量カーブのうち、最大流量の約１／２以下の領域が実使用領域となる。
【００３２】
以上、実際の運転状況と制御弁１の機能をまとめると以下のようになる。先ず、アイドル時は、電流１００ｍＡで遅角側流量の最大流量（スプール１２、プランジャ３５は最遅角位置、通路３の幅αは全開状態）が流れている。
【００３３】
次いで、エンジン回転数、負荷の上昇により、所定の目標バルブタイミング（位相）が設定されると、演算により設定された所定の電流値が制御弁１に印加され、２００ｋＰａ時で約５Ｌ／ｍｉｎの進角側流量が流れ、油圧アクチュエータが進角方向に動作する（この場合、通路３の幅αは１／２開度）。こうして油圧アクチュエータが動作して目標の位相に近づくと、印加電流が小さく設定され、目標の位相で保持するよう中間電流値の近辺で制御される（この場合、通路３の幅αはゼロ近辺）。
【００３４】
ここで、各動作状態の通路３の幅αの変化を考えると、全開から略全閉への動作、１／２開度から略全閉への動作、及び略全閉付近での動作である。この時、流入するオイル中に異物が混入した場合、１／２α以上の大きさの異物は、スプール１２が閉方向にスライドする際、油圧の力等により隙間部分に噛み込まれ、スプール１２のスライドを阻害するおそれがある。
【００３５】
これに対し、１／２αよりも小さい異物であれば、オイルの流れに沿って通過するので、スプール１２のスライドに支障をきたすおそれが少ない。さらに、ハウジング２とスプール１２のクリアランスレベルの異物は各仕切り壁４のエッジの掻き出し作用により噛み込みが規制され、クリアランスよりもやや大きな（０．１ｍｍレベル）異物は制御弁１が四輪自動車用の場合には、発生力（スプール１２の軸方向推進力）が最大でも１０Ｎ程度と小さいため、ハウジング２とスプール１２のクリアランスに噛み込まれる可能性が少ない。
【００３６】
一方、本実施の形態１における制御弁１はエンジンに装着されてオイルポンプからのオイルを油圧アクチュエータに供給するよう機能するが、この際、オイルは、エンジンのオイル流路を流動する。このオイル流路は、エンジンの構成部品内、例えばシリンダヘッド、カムシャフト、及びカムシャフトを固定するカムキャップ内にドリル等を使用した切削加工によりそれぞれ形成されている。
【００３７】
係るオイル流路の切削加工に伴う切削屑（切子）は、構成部品の洗浄により除去されるのが一般的であるが、除去されずにオイル流路に残留し、制御弁１に流入することがある。この制御弁１に流入する異物として、実際に問題になるのは加工屑であり、この加工屑は、比較的大きく（０．５〜２ｍｍ）、しかも、カール等の複雑な形状を呈することが少なくない。
【００３８】
以上を総合すると、制御弁１において、機能上問題となる異物の大きさは１／２α以上（おおよそ０．４ｍｍ以上）であるから、メッシュ４２における開口部の平均粗さ、換言すれば、開口部の大きさβは、１／２α以上となる設定が最適である。また、係るレベルの大きさであれば、比較的小さい開口のポートにフィルタ４０を装着する場合でも、オイルの圧損や流量低下を招くおそれがない。
【００３９】
上記において、ハウジング２の進角側出力ポート７あるいは遅角側出力ポート８にフィルタ４０を装着する場合には、フィルタ４０を指で湾曲させてその円弧の半径Ｒ１をハウジング２の周壁の半径Ｒ２まで小さくし、進角側出力ポート７又は遅角側出力ポート８の複数の係止穴１７にフィルタ４０の係止爪４３をそれぞれ嵌入し、その後、フィルタ４０の枠体４１から指を離せば良い。
【００４０】
すると、湾曲したフィルタ４０がその弾性復帰力により元の半径Ｒ１に復帰しようとするので、複数の係止穴１７にフィルタ４０の係止爪４３がそれぞれ強固に嵌合係止し、この各係止爪４３の嵌合係止により、ハウジング２の周壁にフィルタ４０を隙間なく沿わせて適切に装着することができる。
【００４１】
上記構成によれば、ハウジング２にフィルタ４０を単に覆着するのではなく、異物やフィルタ４０の開口部に関して詳細に規定するので、ハウジング２とスプール１２間の摺動面のクリアランスよりも少々大きい異物の噛み込みをエッジの掻き出し効果により有効に防止することができる。また、実際に問題となるオイル用の通路３の幅αと同等レベルの異物をフィルタ４０により除去することができる。さらに、ハウジング２にフィルタ４０を覆着しても、フィルタ４０の追加に伴う圧損を防止することができる。
【００４２】
実施の形態２．
図９、図１０は本発明の実施の形態２を示すもので、フィルタ４０を金属材料を使用して多孔質の平面略小判形に形成し、このフィルタ４０をハウジング２の進角側出力ポート７と遅角側出力ポート８とに内部座ぐり１８と溝５とを介しそれぞれ圧入固定するようにしている。
【００４３】
フィルタ４０は、例えば金属線、金属線の不織布、金属塊、あるいは発泡金属体等を使用して内外方向に粗密に形成され、内部が粗い目に形成されるとともに、この内部以外の外周縁部が強度や剛性維持の観点から密に形成される。その他の部分については、上記実施の形態１と同様であるので説明を省略する。
【００４４】
本実施の形態２においても上記実施の形態１と同様の作用効果が期待でき、しかも、フィルタ４０を複数の材料により製造する必要がないので、製法の簡素化やコスト削減を図ることができる。また、ハウジング２の進角側出力ポート７と遅角側出力ポート８内にフィルタ４０を抜け止め用の既存の内部座ぐり１８や溝５を介して埋没固定するので、係止穴１７や係止爪４３を省略して構成の簡素化を図ることができるという効果がある。
【００４５】
実施の形態３．
図１１を参照して本発明に係る実施の形態３を説明する。本実施の形態３におけるオイル制御装置は、自動車のオイルタンク５０のオイルを吸い上げるオイルポンプ５１から油圧アクチュエータ６０に供給されるオイルを上記制御弁１により制御し、エンジンの出力向上、排気ガスの低減、燃費の改善等を目的にエンジンのバルブタイミングを調整するようにしている。
【００４６】
制御弁１は、そのハウジング２に、被供給ポート６、進角側出力ポート７、遅角側出力ポート８が配設され、被供給ポート６には、オイルポンプ５１からオイルがエンジン内のオイル供給通路５２を介して供給される。また、制御弁１は、進角側出力ポート７からエンジン内の進角側通路５３、カムシャフト５４内の進角側通路５５を介して油圧アクチュエータ６０の進角側油圧室にオイルを供給したり、排出するよう機能する。同様に、遅角側出力ポート８からエンジン内の遅角側通路５６、カムシャフト５４内の遅角側通路５７を介して油圧アクチュエータ６０の遅角側油圧室にオイルを供給したり、排出する。
【００４７】
ハウジング２の被供給ポート６には第一のフィルタ４０Ａが被覆され、進角側出力ポート７と遅角側出力ポート８には第二のフィルタ４０Ｂがそれぞれ被覆される。これら第一、第二のフィルタ４０Ａ・４０Ｂは、基本的には制御弁１のフィルタ４０と同様に形成されるが、第一のフィルタ４０Ａにおけるメッシュ４２の開口部の大きさβよりも第二のフィルタ４０Ｂにおけるメッシュ４２の開口部の大きさγが大きくされる。その他の部分については、上記実施の形態１と同様であるので説明を省略する。
【００４８】
本実施の形態３においては、オイルポンプ５１から供給されるオイル中の異物のうち、第一のフィルタ４０Ａを通過した異物を第二のフィルタ４０Ｂでトラップすることなく、制御弁１から外部に流出させることができる。さらに、油圧アクチュエータ６０から戻ってきたオイルは第二のフィルタ４０Ｂでろ過されるが、第二のフィルタ４０Ｂを通過した異物は、進角側、遅角側のドレンポート９，１０から制御弁１の外部、エンジンの内部に排出されるので、制御弁１の内部に異物が堆積するのを抑制防止することができる。
【００４９】
なお、上記実施の形態ではフィルタ４０を平面略小判形に形成したが、何らこれに限定されるものではない。例えば、フィルタ４０を平面略長方形、楕円形、円形等に形成することもできるし、厚くしたり、薄くしても良い。また、上記実施の形態では四輪自動車のエンジンに制御弁１を使用したが、何らこれに限定されるものではない。例えば、自動二輪車、自動三輪車、雪上スクータ、水上バイク等のエンジンに使用することもできる。
【００５０】
さらに、ハウジング２の被供給ポート６に第一のフィルタ４０Ａを覆着し、進角側出力ポート７と遅角側出力ポート８に第二のフィルタ４０Ｂをそれぞれ覆着したが、オイル供給通路に第一のフィルタ４０Ａを装着し、進角側通路５３と遅角側通路５６とに第二のフィルタ４０Ｂをそれぞれ装着しても良い。
【図面の簡単な説明】
【００５１】
【図１】本発明の実施の形態１に係る制御弁を模式的に示す全体説明図である。
【図２】本発明の実施の形態１に係る制御弁を模式的に示す断面説明図である。
【図３】図１のＩＩＩ‐ＩＩＩ線断面図である。
【図４】本発明の実施の形態１に係る制御弁のハウジングとフィルタを模式的に示す説明図である。
【図５】本発明の実施の形態１に係る制御弁のフィルタを模式的に示す平面説明図である。
【図６】本発明の実施の形態１に係る制御弁のフィルタの半径を模式的に示す平面説明図である。
【図７】本発明の実施の形態１に係る制御弁のハウジングの半径を模式的に示す平面説明図である。
【図８】本発明の実施の形態１に係る制御弁をバルブタイミング調整用電磁弁として実際に使用した場合の印加電流に対するオイルの流量を示す説明図である。
【図９】本発明の実施の形態２に係る制御弁を模式的に示す要部断面説明図である。
【図１０】本発明の実施の形態２に係る制御弁のフィルタを模式的に示す平面説明図である。
【図１１】本発明の実施の形態３に係るオイル制御装置を模式的に示す説明図である。
【符号の説明】
【００５２】
１  制御弁、２  ハウジング、３  通路、４  仕切り壁、５  溝、６  被供給ポート、７  進角側出力ポート（給排ポート）、８  遅角側出力ポート（給排ポート）、９  進角側ドレンポート、１０  遅角側ドレンポート、１１  端部ドレンポート、１２  スプール、１３  ランド部、１５  コイルバネ（弾性部材）、１７  係止穴、１８  内部座ぐり、２０  ソレノイド駆動部、３５  プランジャ、４０  フィルタ（フィルタ部材）、４１  枠体、４２  メッシュ、４３  係止爪、４０Ａ  第一のフィルタ（フィルタ部材）、４０Ｂ  第二のフィルタ（フィルタ部材）、５０  オイルポンプ、５２  オイル供給通路、５３  進角側通路（通路）、５４  カムシャフト、５５  進角側通路、５６  遅角側通路（通路）、５７  遅角側通路、６０  油圧アクチュエータ、α  通路の幅、β  メッシュの開口部の大きさ、γ  第二のフィルタにおけるメッシュの開口部の大きさ。
【図１】
2008039141.tif 000003
【図２】
2008039141.tif 000004
【図３】
2008039141.tif 000005
【図４】
2008039141.tif 000006
【図５】
2008039141.tif 000007
【図６】
2008039141.tif 000008
【図７】
2008039141.tif 000009
【図８】
2008039141.tif 000010
【図９】
2008039141.tif 000011
【図１０】
2008039141.tif 000012
【図１１】
2008039141.tif 000013